(57)【要約】【課題】記録紙切断実行スイッチを独立した専用スイッチとして備えた記録紙切断装置を低コストで提供する。【解決手段】丸刃ホルダ１２の往復動範囲の両端には、丸刃ホルダ１２の位置を検出する第１のセンサ１６と第２のセンサ１７とが配設されている。第１のセンサ１６と第２のセンサ１７の検出信号に基づいてＤＣモータ１９を駆動制御して記録紙切断制御を実行する。記録紙切断実行スイッチ２１は、操作ボタン２１ｂを押下して記録紙切断実行スイッチ２１を符号Ａで示した方向に揺動させることによって、被検出部材２１ａが第２のセンサ１７の検出部１７１へ移動して第２のセンサ１７に検出される。制御部１は、一定の条件下において第２のセンサ１７が検出状態になった場合に、記録紙切断実行スイッチ２１が押下されて被検出部材２１ａを検出したと判定して記録紙切断制御を実行する。【選択図】　　　　図５
2004043172.tif 000002
【特許請求の範囲】
【請求項１】
ロール紙及び単票紙を含む記録紙を切断可能な刃を有する切断器が前記記録紙の切断方向に往復動して前記記録紙を切断する構成を成す記録紙切断手段と、前記切断器の往復動範囲の所定位置において、前記切断器を検出可能な切断器検出器と、該切断器検出器による前記切断器の検出状態に基づいて、前記記録紙切断手段の駆動力源を制御して前記記録紙を切断する記録紙切断制御を実行可能な記録紙切断制御部と、任意のタイミングで前記記録紙切断制御のトリガを前記記録紙切断制御部へ送出可能な記録紙切断実行スイッチとを備え、前記記録紙に記録を実行可能な記録装置に配設された記録紙切断装置であって、前記記録紙切断実行スイッチは、前記切断器検出器にて検出可能な被検出部材と、操作することによって前記被検出部材を前記切断器検出器の検出位置まで移動させることが可能な操作ボタンと有し、
前記記録紙切断制御部は、前記切断器検出器が前記被検出部材を検出することによって、前記記録紙切断実行スイッチによるトリガを検出して前記記録紙切断制御を実行する、ことを特徴とした記録紙切断装置。
【請求項２】
請求項１において、前記記録紙切断制御部は、前記記録紙が切断待機状態である間に、前記切断器検出器が前記被検出部材を検出している状態から非検出状態となったタイミングで前記記録紙切断制御を実行する、ことを特徴とした記録紙切断装置。
【請求項３】
請求項１又は２において、前記記録紙切断制御部は、前記記録装置が前記記録紙に対して記録を実行している間は前記記録紙切断制御を実行しない、ことを特徴とした記録紙切断装置。
【請求項４】
請求項１〜３のいずれか１項において、前記切断器の位置によって、前記被検出部材が前記切断器検出器にて検出可能な位置まで移動することを抑止する手段を備えている、ことを特徴とした記録紙切断装置。
【請求項５】
請求項１〜４のいずれか１項において、前記切断器検出器は、前記記録紙切断制御の待機状態において、前記切断器の往復動範囲の一端側に位置している前記切断器を検出可能な第１の切断器検出器と、前記記録紙を切断した後に、前記切断器の往復動範囲の他端側に位置している前記切断器を検出可能であり、かつ、前記被検出部材を検出可能な第２の切断器検出器とを備え、
前記記録紙切断制御部は、前記第１の切断器検出器にて前記切断器を検出している状態から前記駆動力源を一方向に駆動制御し、前記第２の切断器検出器にて前記切断器を検出した時点で前記駆動力源を他方向に駆動制御し、再び前記第１の切断器検出器にて前記切断器を検出した時点で前記駆動力源を停止制御することによって前記記録紙を切断する、ことを特徴とした記録紙切断装置。
【請求項６】
請求項１〜５のいずれか１項において、前記記録紙切断手段と前記記録紙切断実行スイッチとを有し、前記記録装置に着脱可能な構成を成す記録紙切断ユニットを備えている、ことを特徴とした記録紙切断装置。
【請求項７】
請求項１〜６のいずれか１項に記載の記録紙切断装置を備えた記録装置。
【請求項８】
ロール紙及び単票紙を含む記録紙を切断可能な刃を有する切断器が前記記録紙の切断方向に往復動して前記記録紙を切断する構成を成す記録紙切断手段と、前記切断器の往復動範囲の所定位置において、前記切断器を検出可能な切断器検出器と、該切断器検出器による前記切断器の検出状態に基づいて、前記記録紙切断手段の駆動力源を制御して前記記録紙を切断する記録紙切断制御を実行可能な記録紙切断制御部と、前記切断器検出器にて検出可能な被検出部材と、操作することによって前記被検出部材を前記切断器検出器の検出位置まで移動させることが可能な操作ボタンと有し、任意のタイミングで前記記録紙切断制御部に対して記録紙切断制御のトリガを送出可能な記録紙切断実行スイッチとを備え、前記記録紙に記録を実行可能な記録装置に配設された記録紙切断装置において、前記記録紙切断制御部に搭載されたコンピュータに前記記録紙切断制御を実行させるための記録紙切断制御プログラムであって、
前記記録紙が切断待機状態であるか否かを判定する切断待機状態判定手順と、前記記録紙切断実行スイッチが送出する前記記録紙切断制御のトリガを検出する記録紙切断制御トリガ検出手順と、
前記記録紙が切断待機状態である間に前記記録紙切断制御のトリガを検出した時点で、前記記録紙切断制御を実行する記録紙切断制御手順とを有する、ことを特徴とした記録紙切断制御プログラム。
【請求項９】
請求項８において、前記記録紙切断制御トリガ検出手順は、前記記録紙が切断待機状態である間に、前記切断器検出器が前記被検出部材を検出している状態から非検出状態となったタイミングで前記記録紙切断制御のトリガを検出する、ことを特徴とした記録紙切断制御プログラム。
【請求項１０】
請求項８又は９において、前記記録紙切断制御手順は、前記記録装置が前記記録紙に対して記録を実行している間は前記記録紙切断制御を実行しない、ことを特徴とした記録紙切断制御プログラム。
【発明の詳細な説明】
【０００１】
【発明の属する技術分野】
本願発明は、長尺な記録紙がロール状に巻かれた、いわゆるロール紙を含む記録紙に記録実行可能な記録装置に搭載され、記録後の記録紙を所定の長さで切断するための記録紙切断装置、及び記録紙切断装置の制御をコンピュータに実行させるための記録紙切断制御プログラムに関する。
【０００２】
【従来の技術】
長尺な記録紙がロール状に巻かれた、いわゆるロール紙は、例えばパノラマサイズの画像や非定形サイズの画像等を記録装置で記録する際に適しており、その利便性から広く一般的に普及しつつある。そのため、ロール紙に記録実行可能な構成を成す記録装置が普及しつつある。そして、記録実行後のロール紙を所望の切断位置で切断するためのロール紙切断装置を搭載したものが一般的になりつつある。
【０００３】
このようなロール紙切断装置を搭載した従来の記録装置は、記録実行後のロール紙を搬送し、所望の切断すべき位置がロール紙切断装置の切断位置に位置するまで搬送された時点で、ロール紙切断装置にて切断すべき位置を自動切断することができる。また、記録実行後のロール紙を切断すべき位置で切断せず、複数の記録を連続して実行することもでき、さらに、任意の手動操作によってロール紙切断装置を動作させてロール紙を所望の位置で切断するロール紙切断実行スイッチを搭載しているものもある。
【０００４】
ところで、ロール紙に記録実行可能な構成を成す記録装置の中には、ロール紙切断装置がオプション装備となっている記録装置もあり、このようなロール紙切断装置は、例えば、ロール紙切断手段を備えた記録装置に容易に着脱可能なロール紙切断ユニットとなっていたりする。すると、前述したロール紙切断実行スイッチは、オプション装置としてのロール紙切断装置のためだけのスイッチなので、記録装置本体に設けると、オプション装置としてのロール紙切断装置を装着しないユーザーにとっては不要なスイッチであると同時に、オプション装置のためだけのスイッチが記録装置本体に標準装備されているというのは、ユーザーに不自然な印象を与える虞がある。
【０００５】
そこで、ロール紙切断装置がオプション装備で、記録装置に容易に着脱可能なロール紙切断ユニット構成になっている記録装置においては、例えば、記録装置の排紙ボタン等のスイッチと兼用になっており、ロール紙への記録実行時には、排紙ボタンを押すことで、任意の手動操作によってロール紙切断装置を動作させてロール紙を所望の位置で切断することが可能になっていた。
【０００６】
【発明が解決しようとする課題】
しかしながら、オプション装備のロール紙切断ユニットを記録装置に装着して使用する際に、ロール紙切断実行スイッチが排紙ボタン等のスイッチと兼用になっていると、記録装置本体にそのような表示をしない限り、そのことをユーザーが知り得ることができない虞があった。つまり、オプション装備としてのロール紙切断ユニットのロール紙切断実行スイッチが排紙ボタンと兼用となっていることを記録装置本体に表示することは不自然なので、結局、ロール紙切断実行スイッチの存在は、マニュアル等を参照しない限り分からないことになってしまい、ユーザーがロール紙切断実行スイッチの機能及び存在自体を知らないまま記録装置を使用し続けることになってしまうという虞があった。
【０００７】
そこで、ロール紙切断ユニットにロール紙切断実行スイッチを設ければ、上述したような問題は生じない。しかし、従来のロール紙切断ユニットにロール紙切断実行スイッチを追加すると、スイッチ及びその電気的配線の追加、製造コストの増加等によって、ロール紙切断ユニットのコストが上昇してしまうことになる。そのため、オプション装備としてのロール紙切断ユニットの価格が上昇し、利便性の高いロール紙切断ユニットがユーザーにとって購入しづらいものになってしまう虞が生じる。
【０００８】
本願発明は、このような状況に鑑み成されたものであり、その課題は、ロール等を切断可能な記録紙切断実行スイッチを独立した専用スイッチとして備えた記録紙紙切断装置を低コストで提供することにある。
【０００９】
【課題を解決するための手段】
上記課題を達成するため、本願請求項１に記載の発明は、ロール紙及び単票紙を含む記録紙を切断可能な刃を有する切断器が前記記録紙の切断方向に往復動して前記記録紙を切断する構成を成す記録紙切断手段と、前記切断器の往復動範囲の所定位置において、前記切断器を検出可能な切断器検出器と、該切断器検出器による前記切断器の検出状態に基づいて、前記記録紙切断手段の駆動力源を制御して前記記録紙を切断する記録紙切断制御を実行可能な記録紙切断制御部と、任意のタイミングで前記記録紙切断制御のトリガを前記記録紙切断制御部へ送出可能な記録紙切断実行スイッチとを備え、前記記録紙に記録を実行可能な記録装置に配設された記録紙切断装置であって、前記記録紙切断実行スイッチは、前記切断器検出器にて検出可能な被検出部材と、操作することによって前記被検出部材を前記切断器検出器の検出位置まで移動させることが可能な操作ボタンと有し、前記記録紙切断制御部は、前記切断器検出器が前記被検出部材を検出することによって、前記記録紙切断実行スイッチによるトリガを検出して前記記録紙切断制御を実行する、ことを特徴とした記録紙切断装置である。
【００１０】
このように、記録紙切断手段の切断器を検出する切断器検出器によって、記録紙切断実行スイッチが操作されたことを検出して記録紙切断制御を実行する構成を成している、つまり、本来、切断器を検出するための切断器検出器を、記録紙切断実行スイッチの操作状態を検出することに利用して共用する構成を成しているので、記録紙切断実行スイッチの電気的接点、及び記録紙切断実行スイッチから記録紙切断制御部への電気的配線等を設けることなく、記録紙切断実行スイッチの操作状態を記録紙切断制御部へ伝達することができる。したがって、記録紙切断装置に記録紙切断実行スイッチを低コストに配設することができる。
【００１１】
これにより、本願請求項１に記載の発明に係る記録紙切断装置によれば、記録紙切断装置に記録紙切断実行スイッチを低コストに配設することができるので、従来、記録装置の排紙ボタン等のスイッチと兼用になっていた記録紙切断実行スイッチを独立した専用スイッチとして備えた記録紙切断装置を低コストで構成することができるという作用効果が得られる。
【００１２】
本願請求項２に記載の発明は、請求項１において、前記記録紙切断制御部は、前記記録紙が切断待機状態である間に、前記切断器検出器が前記被検出部材を検出している状態から非検出状態となったタイミングで前記記録紙切断制御を実行する、ことを特徴とした記録紙切断装置である。
【００１３】
記録紙切断制御時に記録紙切断制御部は、切断器検出器による切断器の検出状態に基づいて記録紙切断制御を実行するので、記録紙切断実行スイッチが操作されて被検出部材が切断器検出器に検出された時点で記録紙切断制御を実行してしまうと、被検出部材を切断器として誤検出してしまう虞がある。したがって、切断器検出器が被検出部材を検出している状態から非検出状態となったタイミングで記録紙切断制御を実行することによって、被検出部材を切断器として誤検出してしまう虞を少なくすることができる。
【００１４】
これにより、本願請求項２に記載の発明に係る記録紙切断装置によれば、本願請求項１に記載の発明による作用効果に加えて、被検出部材を切断器として誤検出してしまう虞を少なくすることができるので、記録紙切断実行スイッチによる記録紙切断制御時の誤動作の虞を少なくすることができるという作用効果が得られる。
【００１５】
本願請求項３に記載の発明は、請求項１又は２において、前記記録紙切断制御部は、前記記録装置が前記記録紙に対して記録を実行している間は前記記録紙切断制御を実行しない、ことを特徴とした記録紙切断装置である。
【００１６】
本願請求項３に記載の発明に係る記録紙切断装置によれば、本願請求項１又は２に記載の発明による作用効果に加えて、記録実行中に誤って記録紙切断実行スイッチを操作してしまっても記録途中で記録紙が切断されてしまうことを防止することができるという作用効果が得られる。
【００１７】
本願請求項４に記載の発明は、請求項１〜３のいずれか１項において、前記切断器の位置によって、前記被検出部材が前記切断器検出器にて検出可能な位置まで移動することを抑止する手段を備えている、ことを特徴とした記録紙切断装置である。
【００１８】
記録紙切断制御中、つまり切断器が往復動作して記録紙を切断している間に誤って記録紙切断実行スイッチが操作されてしまうと、記録紙切断実行スイッチの被検出部材を切断器として誤検出してしまったり、切断器と被検出部材がぶつかって破損等が生じたりする虞がある。したがって、このような虞の生じる切断器の位置においては、被検出部材が切断器検出器にて検出可能な位置まで移動することを抑止する機構等を設けることによって、切断器の誤検出や切断器と被検出部材の破損等が生じる虞を少なくすることができる。
【００１９】
これにより、本願請求項４に記載の発明に係る記録紙切断装置によれば、本願請求項１〜３のいずれか１項に記載の発明による作用効果に加えて、記録紙切断制御中に誤って記録紙切断実行スイッチを操作してしまっても切断器の誤検出や切断器と被検出部材の破損等が生じる虞を少なくすることができるという作用効果が得られる。
【００２０】
本願請求項５に記載の発明は、請求項１〜４のいずれか１項において、前記切断器検出器は、前記記録紙切断制御の待機状態において、前記切断器の往復動範囲の一端側に位置している前記切断器を検出可能な第１の切断器検出器と、前記記録紙を切断した後に、前記切断器の往復動範囲の他端側に位置している前記切断器を検出可能であり、かつ、前記被検出部材を検出可能な第２の切断器検出器とから成り、前記記録紙切断制御部は、前記第１の切断器検出器にて前記切断器を検出している状態から前記駆動力源を一方向に駆動制御し、前記第２の切断器検出器にて前記切断器を検出した時点で前記駆動力源を他方向に駆動制御し、再び前記第１の切断器検出器にて前記切断器を検出した時点で前記駆動力源を停止制御することによって前記記録紙を切断する、ことを特徴とした記録紙切断装置である。
【００２１】
本願請求項５に記載の発明に係る記録紙切断装置によれば、切断器の往復動作範囲の両端に第１の切断器検出器と第２の切断器検出器とがそれぞれ配設されている構成とし、記録紙切断制御の待機状態に切断器を検出していない状態の第２の切断器検出器にて記録紙切断実行スイッチの被検出部材を検出することによって、本願請求項１〜４のいずれか１項に記載の発明による作用効果を得ることができる。
【００２２】
本願請求項６に記載の発明は、請求項１〜５のいずれか１項において、前記記録紙切断手段と前記記録紙切断実行スイッチとを有し、前記記録装置に着脱可能な構成を成す記録紙切断ユニットを備えている、ことを特徴とした記録紙切断装置である。
【００２３】
このように、記録紙切断手段と記録紙切断実行スイッチを含む記録紙切断装置の一部、又は全てが記録装置に対して着脱可能な記録紙切断ユニットを構成しているので、記録装置に対して記録紙切断装置をオプション装置とすることができる。
【００２４】
これにより、本願請求項６に記載の発明に係る記録紙切断装置によれば、本願請求項１〜５のいずれか１項に記載の発明による作用効果に加えて、記録装置に対して記録紙切断装置をオプション装置とすることができるので、記録装置に記録紙切断装置を装備させるか否かをユーザーが選択することができるという作用効果が得られる。
【００２５】
本願請求項７に記載の発明は、請求項１〜６のいずれか１項に記載の記録紙切断装置を備えた記録装置である。
本願請求項７に記載の発明に係る記録装置によれば、記録装置において、前述した本願請求項１〜６のいずれか１項に記載の発明による作用効果を得ることができる。
【００２６】
本願請求項８に記載の発明は、ロール紙及び単票紙を含む記録紙を切断可能な刃を有する切断器が前記記録紙の切断方向に往復動して前記記録紙を切断する構成を成す記録紙切断手段と、前記切断器の往復動範囲の所定位置において、前記切断器を検出可能な切断器検出器と、該切断器検出器による前記切断器の検出状態に基づいて、前記記録紙切断手段の駆動力源を制御して前記記録紙を切断する記録紙切断制御を実行可能な記録紙切断制御部と、前記切断器検出器にて検出可能な被検出部材と、操作することによって前記被検出部材を前記切断器検出器の検出位置まで移動させることが可能な操作ボタンと有し、任意のタイミングで前記記録紙切断制御部に対して記録紙切断制御のトリガを送出可能な記録紙切断実行スイッチとを備え、前記記録紙に記録を実行可能な記録装置に配設された記録紙切断装置において、前記記録紙切断制御部に搭載されたコンピュータに前記記録紙切断制御を実行させるための記録紙切断制御プログラムであって、前記記録紙が切断待機状態であるか否かを判定する切断待機状態判定手順と、前記記録紙切断実行スイッチが送出する前記記録紙切断制御のトリガを検出する記録紙切断制御トリガ検出手順と、前記記録紙が切断待機状態である間に前記記録紙切断制御のトリガを検出した時点で、前記記録紙切断制御を実行する記録紙切断制御手順とを有する、ことを特徴とした記録紙切断制御プログラムである。
本願請求項８に記載の発明に係る記録紙切断制御プログラムによれば、前述した本願請求項１に記載の発明と同様の作用効果を得ることができるとともに、この記録紙切断制御プログラムを実行することができる任意の記録装置に、前述した本願請求項１に記載の発明と同様の作用効果をもたらすことができる。
【００２７】
本願請求項９に記載の発明は、請求項８において、前記記録紙切断制御トリガ検出手順は、前記記録紙が切断待機状態である間に、前記切断器検出器が前記被検出部材を検出している状態から非検出状態となったタイミングで前記記録紙切断制御のトリガを検出する、ことを特徴とした記録紙切断制御プログラムである。
本願請求項９に記載の発明に係る記録紙切断制御プログラムによれば、前述した本願請求項２に記載の発明と同様の作用効果を得ることができるとともに、この記録紙切断制御プログラムを実行することができる任意の記録装置に、前述した本願請求項２に記載の発明と同様の作用効果をもたらすことができる。
【００２８】
本願請求項１０に記載の発明は、請求項８又は９において、前記記録紙切断制御手順は、前記記録装置が前記記録紙に対して記録を実行している間は前記記録紙切断制御を実行しない、ことを特徴とした記録紙切断制御プログラムである。
本願請求項１０に記載の発明に係る記録紙切断制御プログラムによれば、前述した本願請求項３に記載の発明と同様の作用効果を得ることができるとともに、この記録紙切断制御プログラムを実行することができる任意の記録装置に、前述した本願請求項３に記載の発明と同様の作用効果をもたらすことができる。
【００２９】
【発明の実施の形態】
以下、本願発明の一実施の形態を図面に基づいて説明する。
まず、本願発明に係る「記録装置」としてのインクジェット式記録装置の概略構成について説明する。図１は、本願発明に係るインクジェット式記録装置の一実施の形態を示した概略の斜視図である。また、図２は、本願発明に係るインクジェット式記録装置の一実施の形態を示した要部側面図である。
【００３０】
インクジェット式記録装置５０には、定形サイズの普通紙やフォト専用紙等の定形サイズの記録紙Ｐ、及びロール紙ＲＰ等の被記録材の記録面にインクを吐出して記録を実行する「記録実行手段」として、キャリッジガイド軸５１に軸支され、主走査方向Ｘに移動するキャリッジ６１が設けられている。キャリッジ６１には、被記録材にインクを吐出する記録ヘッド６２が搭載されている。記録ヘッド６２と対向して、記録ヘッド６２のヘッド面と被記録材の記録面との間隔を規定するプラテン５２が設けられている。そして、キャリッジ６１を主走査方向Ｘに搬送し、キャリッジ６１とプラテン５２の間に被記録材を副走査方向Ｙに搬送しながら、記録ヘッド６２のヘッド面から被記録材にインクを吐出することで被記録材に記録が行われる。
【００３１】
また、インクジェット式記録装置５０には、記録紙Ｐを給紙可能な構成を有する自動給紙装置が設けられている。自動給紙装置は、給紙トレイ５７に設けられた２つの給紙ローラ５８及び図示してない分離パッドを有しており、給紙ローラ５８は、図示していないステッピングモータ等の回転駆動力源により回転制御される。そして、２つの給紙ローラ５８の回転駆動力と、分離パッドの摩擦抵抗により、給紙トレイ５７に置かれた複数の記録紙Ｐを給紙する際に、複数の記録紙Ｐが一度に給紙されることなく１枚ずつ正確に自動給紙される。また、給紙トレイ５７の後方には、ロール紙ホルダ５９が設けられている。ロール紙ホルダ５９は、給紙トレイ５７に着脱可能な構成を成しており、ロール紙ＲＰを回転可能に軸支するものであり、ロール紙ＲＰは、図示の如く給紙トレイ５７の下側を経由して給紙される。
【００３２】
さらに、インクジェット式記録装置５０には、給紙したロール紙ＲＰ又は記録紙Ｐを副走査方向Ｙに間欠的に搬送する手段として、搬送駆動ローラ５３と搬送従動ローラ５４が設けられている。搬送駆動ローラ５３は、回転駆動力源により回転制御され、搬送駆動ローラ５３の回転により、ロール紙ＲＰは副走査方向Ｙに搬送される。搬送従動ローラ５４は複数設けられており、それぞれ個々に搬送駆動ローラ５３に付勢され、ロール紙ＲＰ又は記録紙Ｐが搬送駆動ローラ５３の回転により搬送される際に、ロール紙ＲＰ又は記録紙Ｐに接して被記録材の搬送に従動して回転する。
【００３３】
また、給紙ローラ５８と搬送駆動ローラ５３との間には、紙検出器６３が配設されている。従来技術において公知の技術による紙検出器６３は、立位姿勢への自己復帰習性が付与され、かつ被記録材の搬送方向にのみ回動し得るよう被記録材の搬送経路内に突出する状態で枢支されたレバー６３ａと、レバー６３ａの回動位置を検出する検出部６３ｂとを有し、このレバー６３ａの先端がロール紙ＲＰ又は記録紙Ｐに押されることで回動し、それによってロール紙ＲＰ又は記録紙Ｐの始端及び終端が検出される構成を成す検出器である。そして、紙検出器６３にて検出したロール紙ＲＰ又は記録紙Ｐの始端及び終端位置に基づいて、ロール紙ＲＰ又は記録紙Ｐの搬送動作や記録ヘッド６２からのインク吐出動作等が制御される。
【００３４】
さらに、インクジェット式記録装置５０には、記録されたロール紙ＲＰ又は記録紙Ｐを排紙トレイ７１へ排紙する手段として、排紙駆動ローラ５５と排紙従動ローラ５６が設けられている。排紙駆動ローラ５５は、図示していないステッピングモータ等の回転駆動力源により回転制御され、排紙駆動ローラ５５の回転により、ロール紙ＲＰ又は記録紙Ｐは副走査方向Ｙに排紙される。排紙従動ローラ５６は、周囲に複数の歯を有し、各歯の先端がロール紙ＲＰ又は記録紙Ｐの記録面に点接触するように鋭角的に尖っている歯付きローラとなっている。排紙従動ローラ５６は、それぞれ個々に排紙駆動ローラ５５に、搬送従動ローラ５４の付勢力よりも弱い付勢力で付勢され、ロール紙ＲＰ又は記録紙Ｐが排紙駆動ローラ５５の回転により排紙される際に、ロール紙ＲＰ又は記録紙Ｐに接してロール紙ＲＰ又は記録紙Ｐの排紙に従動して回転する。
【００３５】
また、インクジェット式記録装置５０は、制御部１を備えている。制御部１は、図示していないＣＰＵ（中央演算処理ユニット）、及びＲＯＭ、ＲＡＭ等のＣＰＵ周辺ユニットを有しており、記録実行制御手順以外にロール紙記録制御手順等のロール紙ＲＰに記録を実行するための制御プログラムを実行して、ロール紙ＲＰへの記録、及びロール紙ＲＰの切断を実行するロール紙記録制御手段を有している。
【００３６】
さらに、インクジェット式記録装置５０には、排紙駆動ローラ５５及び排紙従動ローラ５６の副走査方向Ｙの下流側に本願発明に係る「記録紙切断装置」としての記録紙切断ユニット１０が配設されている。記録紙切断ユニット１０は、円盤状の丸刃１１が回転しながら移動して記録紙Ｐ又はロール紙ＲＰを切断する「記録紙切断手段」を備えており、インクジェット式記録装置５０の排紙トレイ７１の開口部にワンタッチで着脱可能な構成となっている。記録紙切断ユニット１０は、丸刃１１を回転可能に軸支している「切断器」としての丸刃ホルダ１２が主走査方向Ｘに往復動可能に配設されており、記録紙切断ユニット１０に搭載された「記録紙切断手段の駆動力源」としてのＤＣモータ１９の駆動力によって丸刃ホルダ１２が主走査方向Ｘに往復動する。丸刃ホルダ１２は、丸刃ホルダ１２の往復動に伴って丸刃１１が回転する回転機構を有している。
【００３７】
さらに、記録紙切断ユニット１０は、切断後のロール紙ＲＰを排出するための手段として、補助排紙駆動ローラ１４と補助排紙従動ローラ１５とを備えている。補助排紙駆動ローラ１４及び補助排紙従動ローラ１５は、前述した排紙駆動ローラ５５及び排紙従動ローラ５６と同様の構成を成している。記録紙切断ユニット１０は、インクジェット式記録装置５０に装着すると制御部１と電気的に接続され、制御部１によって制御される。記録後のロール紙ＲＰの切断すべき位置は、主走査方向Ｘに往復動する丸刃１１によって切断された後、補助排紙駆動ローラ１４と補助排紙従動ローラ１５とに挟持された状態で、ＤＣモータ１９の駆動力によって補助排紙駆動ローラ１４が回転することで排紙トレイ７１に排出される。
【００３８】
次に、本願発明に係る「記録紙切断装置」としての記録紙切断ユニット１０について、さらに詳細に説明する。図３及び図４は、本願発明に係る「記録紙切断装置」としての記録紙切断ユニット１０の外観を示した斜視図である。
【００３９】
記録紙切断ユニット１０は、記録後のロール紙ＲＰの切断すべき位置を切断せずに待機状態となっているときに、ユーザーの操作によってロール紙ＲＰの切断制御のトリガを制御部１に与えることができる記録紙切断実行スイッチ２１を備えている。図３は、記録紙切断実行スイッチ２１を押下していない状態を示したものであり、図４は、記録紙切断実行スイッチ２１を押下した状態を示したものである。記録紙切断実行スイッチ２１の構成、及び記録紙切断実行スイッチ２１を押下することによる記録紙切断制御手順については、後述で詳細に説明する。
【００４０】
図５は、本願発明に係る「記録紙切断装置」としての記録紙切断ユニット１０の要部斜視図である。
丸刃ホルダ１２の往復動範囲の両端には、丸刃ホルダ１２の位置を検出する「切断器検出器」としての第１のセンサ１６及び第２のセンサ１７が、それぞれ配設されている。第１のセンサ１６及び第２のセンサ１７は、フォトインタラプタ等の光学式のセンサであり、第１のセンサ１６は、凹形状を成す検出部１６１に丸刃ホルダ１２の被検出部１２ａが非接触で係合した状態で、丸刃ホルダ１２が往復動範囲の一端側に位置していることを検出し、第２のセンサ１７は、凹形状を成す検出部１７１に丸刃ホルダ１２の被検出部１２ａが非接触で係合した状態で、丸刃ホルダ１２が往復動範囲の他端側に位置していることを検出する。第１のセンサ１６及び第２のセンサ１７、並びにＤＣモータ１９は、インクジェット式記録装置５０の制御部１に電気的に接続される。制御部１は、第１のセンサ１６と第２のセンサ１７の検出信号を入力し、その入力信号に基づいてＤＣモータ１９を駆動制御して記録紙切断制御を実行する「記録紙切断制御部」としての手段を有している。ＤＣモータ１９の回転駆動力は、駆動プーリー１８１と従動プーリー１８２との間に配設されている無端ベルト１８に伝達され、丸刃ホルダ１２は、ＤＣモータ１９の回転駆動力が伝達されて双方向に回転する無端ベルト１８によって主走査方向Ｘに往復動する。ロール紙ＲＰは、主走査方向Ｘに長尺に配置されている固定刃１３と、主走査方向Ｘに移動しながら回転する丸刃１１とによって切断される。
【００４１】
制御部１は、記録紙切断制御実行時には、待機状態において丸刃ホルダ１２が往復動範囲の一端側で第１のセンサ１６に検出されている状態から、丸刃ホルダ１２を往復動範囲の他端側へ移動させるべく、第２のセンサ１７が丸刃ホルダ１２を検出するまでＤＣモータ１９を一回転方向に回転制御する。そして、第２のセンサ１７が丸刃ホルダ１２を検出した時点でＤＣモータ１９の回転を停止させ、丸刃ホルダ１２を再び往復動範囲の一端側へ移動させるべく、第１のセンサ１６が丸刃ホルダ１２を検出するまでＤＣモータ１９を他回転方向に回転制御する。このように、制御部１は、記録紙切断制御実行時には、丸刃１１と固定刃１３とによる切断位置にロール紙ＲＰの切断すべき位置を搬送し、第１のセンサ１６と第２のセンサ１７の検出信号に基づいてＤＣモータ１９を駆動制御して丸刃ホルダ１２を往復動させ、ロール紙ＲＰの切断すべき位置を切断する。
【００４２】
また、第２のセンサ１７の近傍には、記録紙切断実行スイッチ２１が配設されている。記録紙切断実行スイッチ２１は、被検出部材２１ａと操作ボタン２１ｂとから成り、軸２１１を揺動軸として符号Ａで示した方向に揺動可能に軸支されている。図６は、本願発明に係る「記録紙切断装置」としての記録紙切断ユニット１０の要部側面図であり、図６（ａ）は、記録紙切断実行スイッチ２１を操作していない状態を示したものであり、図６（ｂ）は、記録紙切断実行スイッチ２１を操作（押下）した状態を示したものである。
【００４３】
記録紙切断実行スイッチ２１は、被検出部材２１ａと操作ボタン２１ｂとが一体に形成されており、操作ボタン２１ｂを押下して記録紙切断実行スイッチ２１を符号Ａで示した方向に揺動させることによって、被検出部材２１ａが第２のセンサ１７の検出部１７１へ移動して第２のセンサ１７に検出される。操作ボタン部２１ｂから手を離すと記録紙切断実行スイッチ２１は、ねじりばね２３のばね力によって元の位置に戻り、被検出部材２１ａが検出部１７１から退避して第２のセンサ１７は再び非検出状態となる。したがって、第２のセンサ１７は、丸刃ホルダ１２を検出するセンサであるとともに、記録紙切断実行スイッチ２１の操作状態を検出するセンサも兼ねている。つまり、記録紙切断実行スイッチ２１は、電気的接点を有しておらず、記録紙切断実行スイッチ２１の操作状態は、第２のセンサ１７によって検出されて制御部１へ伝達されることになる。そのため、電気的接点を有する一般的なスイッチよりも低コストに記録紙切断実行スイッチ２１を配設することができる。
【００４４】
このような構成を成す記録紙切断実行スイッチ２１においては、第２のセンサ１７が丸刃ホルダ１２を検出するセンサと、記録紙切断実行スイッチ２１の操作状態を検出するセンサとを兼ねているので、重複しないそれぞれの一定の条件下で、丸刃ホルダ１２の被検出部１２ａと記録紙切断実行スイッチ２１の被検出部材２１ｂとをそれぞれ検出する必要がある。そこで制御部１は、一定の条件下において第２のセンサ１７が検出状態になった場合に、記録紙切断実行スイッチ２１が押下されて被検出部材２１ａを検出したと判定して記録紙切断制御を実行する。
【００４５】
つづいて、本願発明に係る「記録紙切断制御手順」について説明する。図７は、本願発明に係る「記録紙切断制御手順」を示したフローチャートである。尚、当該フローチャートに示した手順は、インクジェット式記録装置５０が通電状態である間、定周期で繰り返し実行される手順である。
【００４６】
まず、インクジェット式記録装置５０がアイドル状態、つまり、記録実行制御及び記録紙切断制御が実行されておらず、待機状態となっているか否かを判定する（ステップＳ１）。インクジェット式記録装置５０がアイドル状態でない場合には（ステップＳ１でＮｏ）、そのまま手順を終了する。一方、インクジェット式記録装置５０がアイドル状態である場合には（ステップＳ１でＹｅｓ）、つづいて、ロール紙ＲＰの切断すべき位置が切断されずに保留状態となっているか否かを判定する（ステップＳ２）。つまり、ロール紙ＲＰの切断すべき位置が記録紙切断実行スイッチ２１を操作することによって切断可能な状態にあるか否かを判定する。ロール紙ＲＰの切断すべき位置が切断されずに保留状態となっている状態でない場合には（ステップＳ２でＮｏ）、そのまま手順を終了する。一方、ロール紙ＲＰの切断すべき位置が切断されずに保留状態となっている場合には（ステップＳ２でＹｅｓ）、その時点で記録紙切断実行スイッチ２１の操作状態を検出する（ステップＳ３）。
【００４７】
インクジェット式記録装置５０がアイドル状態にある場合には、記録紙切断制御も実行されていない状態なので、前述したように丸刃１２は待機状態の位置（丸刃ホルダ１２の被検出部１２ａが第１のセンサ１６に検出されている位置）に停止している。よって、第２のセンサ１７は、記録紙切断実行スイッチ２１の被検出部材２１ｂを検出可能な状態となっている。そして、かつ、ロール紙ＲＰの切断すべき位置が切断待機状態となっている状態においてのみ記録紙切断実行スイッチ２１の操作によって、ロール紙ＲＰの切断すべき位置を切断することができる。したがって、インクジェット式記録装置５０がアイドル状態で、かつ、ロール紙ＲＰの切断すべき位置が切断待機状態となっている場合にのみ、第２のセンサ１７によって記録紙切断実行スイッチ２１の操作状態を検出することによって、第２のセンサ１７にて記録紙切断実行スイッチ２１の操作状態を正確に検出して記録紙切断制御を実行することができる。
【００４８】
つづいて、記録紙切断実行スイッチ２１の操作状態がＯＮ状態、つまり、記録紙切断実行スイッチ２１が押下されて第２のセンサ１７が被検出部材２１ｂを検出している状態であるか否かを判定する（ステップＳ４）。記録紙切断実行スイッチ２１の操作状態がＯＮ状態でない場合には（ステップＳ４でＮｏ）、そのまま当該手順を終了する。一方、記録紙切断実行スイッチ２１の操作状態がＯＮ状態である場合には（ステップＳ４でＹｅｓ）、引きつづき記録紙切断実行スイッチ２１の操作状態を検出し（ステップＳ５）、記録紙切断実行スイッチ２１の操作状態がＯＦＦ状態、つまり、押下された記録紙切断実行スイッチ２１が元の位置に戻り、第２のセンサ１７が被検出部材２１ｂを検出していない状態になったか否かを判定する（ステップＳ６）。記録紙切断実行スイッチ２１の操作状態がＯＦＦ状態になっていない場合には（ステップＳ６でＮｏ）、再び記録紙切断実行スイッチ２１の操作状態を検出する（ステップＳ５）。一方、記録紙切断実行スイッチ２１の操作状態がＯＦＦ状態となった時点で（ステップＳ６でＹｅｓ）、ロール紙ＲＰの切断すべき位置を切断し、切断したロール紙ＲＰを補助排紙駆動ローラ１４及び補助排紙従動ローラ１５によって排紙トレイ７１へ排出する（ステップＳ７）。
【００４９】
記録紙切断実行スイッチ２１が押下されて被検出部材２１ｂが第２のセンサ１７に検出された時点で、まだ記録紙切断制御は実行しないのは、記録紙切断実行スイッチ２１の被検出部材２１ｂが第２のセンサ１７に検出されている状態のまま記録紙切断制御を実行すると、第２のセンサ１７で丸刃ホルダ１２を正確に検出することができないためである。つまり、第２のセンサ１７で検出している記録紙切断実行スイッチ２１の被検出部材２１ｂを丸刃ホルダ１２の被検出部１２ａと誤検出してしまい、ロール紙ＲＰの切断すべき位置を切断しきるまで丸刃ホルダ１２を往復動させることができなくなってしまう虞があるためである。したがって、ユーザーが手で記録紙切断実行スイッチ２１が押下し、被検出部材２１ｂが第２のセンサ１７に検出された後、ユーザーが記録紙切断実行スイッチ２１から手を離すことによって記録紙切断実行スイッチ２１が元の位置まで戻り、被検出部材２１ｂが第２のセンサ１７に検出されていない状態となった時点で記録紙切断制御を実行する。それによって、第２のセンサ１７で検出している記録紙切断実行スイッチ２１の被検出部材２１ｂを丸刃ホルダ１２の被検出部１２ａと誤検出して、ロール紙ＲＰの切断すべき位置を切断しきるまで丸刃ホルダ１２を往復動させることができなくなってしまうことを防止することができる。
【００５０】
このようにして、記録紙切断ユニット１０に独立した専用スイッチとしての記録紙切断実行スイッチ２１を低コストに設けることができる。
【００５１】
また、他の実施の形態としては、上記一実施の形態に示した記録紙切断ユニット１０に、記録紙切断制御実行中に記録紙切断実行スイッチ２１の操作をできなくする手段を設けたものが挙げられる。丸刃ホルダ１２が往復動作中に記録紙切断実行スイッチ２１を押下してしまうと、記録紙切断実行スイッチ２１の被検出部材２１ｂが第２のセンサ１７に検出され、丸刃ホルダ１２の被検出部１２ａとして誤検出されてしまう虞がある。そこで、丸刃ホルダ１２が待機位置に位置している場合以外は、記録紙切断実行スイッチ２１の被検出部材２１ｂが第２のセンサ１７の検出部１７１まで移動することを抑止する機構的な手段等を設けることによって、そのような誤検出を防止することができる。
【００５２】
尚、本願発明は上記実施例に限定されることなく、特許請求の範囲に記載した発明の範囲内で、種々の変形が可能であり、それらも本願発明の範囲内に含まれるものであることは言うまでもない。
【００５３】
【発明の効果】
本願発明によれば、記録紙切断実行スイッチを独立した専用スイッチとして備えた記録紙切断装置を低コストで提供することができる。
【図面の簡単な説明】
【図１】本願発明に係るインクジェット式記録装置の一実施の形態を示した概略の斜視図である。
【図２】本願発明に係るインクジェット式記録装置の一実施の形態を示した要部側面図である。
【図３】本願発明に係る記録紙切断ユニットの外観を示した斜視図であり、記録紙切断実行スイッチが操作されていない状態を示したものである。
【図４】本願発明に係る記録紙切断ユニットの外観を示した斜視図であり、記録紙切断実行スイッチが操作された状態を示したものである。
【図５】本願発明に係る記録紙切断ユニットの要部斜視図である。
【図６】本願発明に係る記録紙切断ユニットの要部側面図であり、図６（ａ）は、記録紙切断実行スイッチを操作していない状態を示したものであり、図６（ｂ）は、記録紙切断実行スイッチを操作した状態を示したものである。
【図７】本願発明に係る「記録紙切断制御手順」を示したフローチャートである。
【符号の説明】
１　　制御部
１０　記録紙切断ユニット
１１　丸刃
１２　丸刃ホルダ
１３　固定刃
１４　補助排紙駆動ローラ
１５　補助排紙従動ローラ
１６　第１のセンサ
１７　第２のセンサ
２１　記録紙切断実行スイッチ
５０　インクジェット式記録装置
５１　キャリッジガイド軸
５２　プラテン
５３　搬送駆動ローラ
５４　搬送従動ローラ
５５　排紙駆動ローラ
５６　排紙従動ローラ
５７　給紙トレイ
５８　給紙ローラ
５９　ロール紙ホルダ
６１　キャリッジ
６２　記録ヘッド
６３　紙検出器
７１　排紙トレイ
ＲＰ　ロール紙
Ｘ　主走査方向
Ｙ　副走査方向
【図１】
2004043172.tif 000003
【図２】
2004043172.tif 000004
【図３】
2004043172.tif 000005
【図４】
2004043172.tif 000006
【図５】
2004043172.tif 000007
【図６】
2004043172.tif 000008
【図７】
2004043172.tif 000009